(57)【要約】【課題】洗濯し乾燥した後の繊維製品が、ふっくらしたボリュームのある触感に優れるとともに、柔軟剤処理に起因する吸水性の低下を抑制できる洗濯方法の提供。【解決手段】式（ａ−１）（Ｒ１、Ｒ２は炭素数１〜３のアルキル基またはヒドロキシアルキル基、Ｘ−は対イオン）で表される構成単位、及び式（ａ−２）（Ｒ３、Ｒ４は炭素数１〜３のアルキル基またはヒドロキシアルキル基、Ｘ−は対イオン）で表される構成単位の少なくとも一方を有するポリマー（Ａ）と界面活性剤（ただし高級脂肪酸塩を除く）（Ｂ）を含む液体洗浄剤を水で希釈して洗浄液とし、洗浄液中で繊維製品を洗浄処理する洗浄工程を１回以上行った後に、３級アミン酸塩型カチオン界面活性剤及び４級アンモニウム型カチオン界面活性剤からなる群から選ばれる１種以上の柔軟基剤（Ｅ）を含むすすぎ水で前記繊維製品をすすぎ処理するすすぎ工程を有する、繊維製品の洗濯方法。［化１］2019044278.tif 000016【選択図】なし【特許請求の範囲】
【請求項１】
下記（Ａ）成分と下記（Ｂ）成分を含む液体洗浄剤を水で希釈して洗浄液とし、前記洗浄液中で繊維製品を洗浄処理する洗浄工程を１回以上行った後に、下記（Ｅ）成分を含むすすぎ水で前記繊維製品をすすぎ処理するすすぎ工程を有する、繊維製品の洗濯方法。
（Ａ）成分：下式（ａ−１）で表される構成単位、及び下式（ａ−２）で表される構成単位の少なくとも一方を有するポリマー。
（Ｂ）成分：界面活性剤（ただし高級脂肪酸塩を除く）。
（Ｅ）成分：３級アミン酸塩型カチオン界面活性剤及び４級アンモニウム型カチオン界面活性剤からなる群から選ばれる１種以上の柔軟基剤。
【化１】
2019044278.tif 000013
（式中、Ｒ１、Ｒ２は、それぞれ独立して炭素数１〜３のアルキル基または炭素数１〜３のヒドロキシアルキル基であり、Ｘ−は対イオンである。）
【化２】
2019044278.tif 000014
（式中、Ｒ３、Ｒ４は、それぞれ独立して炭素数１〜３のアルキル基または炭素数１〜３のヒドロキシアルキル基であり、Ｘ−は対イオンである。）
【請求項２】
（Ｂ）／（Ａ）で表される、前記（Ａ）成分に対する前記（Ｂ）成分の質量比が３０以上である、請求項１に記載の繊維製品の洗濯方法。
【請求項３】
前記（Ｂ）成分が、下記（Ｂ−１）成分及び下記（Ｂ−２）成分の少なくとも一方を含む、請求項１または２に記載の繊維製品の洗濯方法。
（Ｂ−１）成分：ノニオン界面活性剤。
（Ｂ−２）成分：アニオン界面活性剤（ただし、高級脂肪酸塩を除く。）。
【請求項４】
前記（Ｂ）成分が、前記（Ｂ−１）成分及び前記（Ｂ−２）成分を含み、（Ｂ−１）／（Ｂ−２）で表される、前記（Ｂ−２）成分に対する前記（Ｂ−１）成分の質量比が０．９〜５である、請求項３に記載の繊維製品の洗濯方法。
【請求項５】
（Ｂ−１）／（Ａ）で表される、前記（Ａ）成分に対する前記（Ｂ−１）成分の質量比が１０以上である、請求項３または４に記載の繊維製品の洗濯方法。
【請求項６】
前記（Ｂ）成分が、下記（Ｃ）成分を含む、請求項１〜５のいずれか一項に記載の繊維製品の洗濯方法。
（Ｃ）成分：高級脂肪酸またはその塩。
【請求項７】
前記液体洗浄剤が、下記（Ｄ）成分を含む、請求項１〜６のいずれか一項に記載の繊維製品の洗濯方法。
（Ｄ）成分：炭素数１〜６のアルキル基またはフェニル基と炭素数２または３のアルキレングリコール単位とを有するアルキレングリコールエーテル、および下式（ｄ−１）で表される化合物からなる群から選ばれる１種以上の溶剤。
【化３】
2019044278.tif 000015
（式中、Ｒ５１〜Ｒ５３は、それぞれ独立に水素原子又は炭素数１〜３のアルキル基、Ｒ５４は、水素原子又はアセチル基である。）
【発明の詳細な説明】
【技術分野】
【０００１】
本発明は、繊維製品の洗濯方法に関する。
【背景技術】
【０００２】
近年、柔軟性付与や香り付けを目的に柔軟剤を使用する消費者が増えている。洗浄後のすすぎ水に柔軟剤を含有させると、タオルや衣類等の繊維製品がやわらかい仕上がりになる一方で、親水性が低下して吸水性が低下しやすいという特徴もある。
特許文献１では、柔軟剤処理に起因する親水性の低下を防止するために、−Ｓ（＝Ｏ）２−で表される構成単位と、カチオン性基を有する構成単位とを有する高分子化合物で布帛を処理する方法が提案されている。実施例では、洗濯機に給水した水道水に、市販の衣料用粉末洗剤と前記高分子化合物を溶解させ、そこに試験布を入れて洗濯（洗い１５分、ためすすぎ２回）し、ためすすぎ２回目の最初に市販の柔軟仕上げ剤を投入する方法が記載されている。
【先行技術文献】
【特許文献】
【０００３】
【特許文献１】特開２００８−１９００９１号公報
【発明の概要】
【発明が解決しようとする課題】
【０００４】
しかし従来の方法では、柔軟処理後の繊維製品の柔軟性および吸水性が必ずしも充分ではない。
本発明は、洗濯し乾燥した後の繊維製品が、ふっくらしたボリュームのある触感に優れるとともに、柔軟剤処理に起因する吸水性の低下を抑制できる洗濯方法を提供する。
【課題を解決するための手段】
【０００５】
本発明は以下の態様を有する。
［１］  下記（Ａ）成分と下記（Ｂ）成分を含む液体洗浄剤を水で希釈して洗浄液とし、前記洗浄液中で繊維製品を洗浄処理する洗浄工程を１回以上行った後に、下記（Ｅ）成分を含むすすぎ水で前記繊維製品をすすぎ処理するすすぎ工程を有する、繊維製品の洗濯方法。
（Ａ）成分：下式（ａ−１）で表される構成単位、及び下式（ａ−２）で表される構成単位の少なくとも一方を有するポリマー。
（Ｂ）成分：界面活性剤（ただし高級脂肪酸塩を除く）。
（Ｅ）成分：３級アミン酸塩型カチオン界面活性剤及び４級アンモニウム型カチオン界面活性剤からなる群から選ばれる１種以上の柔軟基剤。
【０００６】
【化１】
2019044278.tif 000002
【０００７】
（式中、Ｒ１、Ｒ２は、それぞれ独立して炭素数１〜３のアルキル基または炭素数１〜３のヒドロキシアルキル基であり、Ｘ−は対イオンである。）
【０００８】
【化２】
2019044278.tif 000003
【０００９】
（式中、Ｒ３、Ｒ４は、それぞれ独立して炭素数１〜３のアルキル基または炭素数１〜３のヒドロキシアルキル基であり、Ｘ−は対イオンである。）
【００１０】
［２］  （Ｂ）／（Ａ）で表される、前記（Ａ）成分に対する前記（Ｂ）成分の質量比が３０以上である、［１］の繊維製品の洗濯方法。
［３］  前記（Ｂ）成分が、下記（Ｂ−１）成分及び下記（Ｂ−２）成分の少なくとも一方を含む、［１］または［２］の繊維製品の洗濯方法。
（Ｂ−１）成分：ノニオン界面活性剤。
（Ｂ−２）成分：アニオン界面活性剤（ただし、高級脂肪酸塩を除く。）。
［４］  前記（Ｂ）成分が、前記（Ｂ−１）成分及び前記（Ｂ−２）成分を含み、（Ｂ−１）／（Ｂ−２）で表される、前記（Ｂ−２）成分に対する前記（Ｂ−１）成分の質量比が０．９〜５である、［３］の繊維製品の洗濯方法。
［５］  （Ｂ−１）／（Ａ）で表される、前記（Ａ）成分に対する前記（Ｂ−１）成分の質量比が１０以上である、［３］または［４］の繊維製品の洗濯方法。
［６］  前記（Ｂ）成分が、下記（Ｃ）成分を含む、［１］〜［５］のいずれかの繊維製品の洗濯方法。
（Ｃ）成分：高級脂肪酸またはその塩。
［７］  前記液体洗浄剤が、下記（Ｄ）成分を含む、［１］〜［６］のいずれかの繊維製品の洗濯方法。
（Ｄ）成分：炭素数１〜６のアルキル基またはフェニル基と炭素数２または３のアルキレングリコール単位とを有するアルキレングリコールエーテル、および下式（ｄ−１）で表される化合物からなる群から選ばれる１種以上の溶剤。
【００１１】
【化３】
2019044278.tif 000004
【００１２】
（式中、Ｒ５１〜Ｒ５３は、それぞれ独立に水素原子又は炭素数１〜３のアルキル基、Ｒ５４は、水素原子又はアセチル基である。）
【００１３】
［８］洗浄液の総質量に対して、（Ａ）成分の含有量が０．３〜１５質量ｐｐｍである、［１］〜［７］のいずれかの繊維製品の洗濯方法。
［９］すすぎ水の総質量に対して、（Ｅ）成分の含有量が１０〜２００質量ｐｐｍである、［１］〜［８］のいずれかの繊維製品の洗濯方法。
【発明の効果】
【００１４】
本発明の洗濯方法によれば、洗濯し乾燥した後の繊維製品が、ふっくらしたボリュームのある触感（以下、単に「ふっくら感」ということもある。）に優れるとともに、柔軟剤処理に起因する吸水性の低下を抑制できる。
【発明を実施するための形態】
【００１５】
≪液体洗浄剤≫
本実施形態の液体洗浄剤は、（Ａ）成分と（Ｂ）成分を含む。
＜（Ａ）成分＞
（Ａ）成分は、下式（ａ−１）で表される構成単位（以下、構成単位（ａ−１）ともいう。）、及び下式（ａ−２）で表される構成単位（以下、構成単位（ａ−２）ともいう。）の少なくとも一方を有するポリマーである。
構成単位（ａ−１）、（ａ−２）は、下式（ａ−４）で表されるジアルキルジアリルアンモニウム塩モノマーに由来する構成単位である。
（Ａ）成分は、液体洗浄剤を水で希釈した洗浄液中で（Ｂ）成分と複合体を形成することによって繊維に吸着し、形状保持効果を発揮して乾燥後の繊維にふっくら感を与え、柔軟剤処理に起因する吸水性の低下抑制に寄与する。
（Ａ）成分は１種を単独で用いてもよく、２種以上を併用してもよい。
【００１６】
【化４】
2019044278.tif 000005
【００１７】
【化５】
2019044278.tif 000006
【００１８】
式（ａ−４）において、Ｒ８、Ｒ９は、それぞれ独立して炭素数１〜３のアルキル基または炭素数１〜３のヒドロキシアルキル基である。
式（ａ−１）中のＲ１、Ｒ２、および式（ａ−２）中のＲ３、Ｒ４は、それぞれ（ａ−４）中のＲ８、Ｒ９と同じである。
式（ａ−１）、式（ａ−２）および式（ａ−４）におけるＸ−は対イオンであり、例えば塩素イオン、臭素イオン等のハロゲンイオン；硫酸イオン、硝酸イオン、亜硫酸イオン等の無機酸イオン；メチル硫酸イオン、酢酸イオン、乳酸イオン等の有機酸イオン；が挙げられる。
【００１９】
（Ａ）成分は、構成単位（ａ−１）、（ａ−２）以外に、上式（ａ−４）で表されるモノマーと共重合可能な他のモノマーに由来する構成単位を有してもよい。
（Ａ）成分は、下式（ａ−３）で表される構成単位（以下、構成単位（ａ−３）ともいう。）を有することが、ふっくら・ボリューム感付与、及び製剤化の点で好ましい。
式（ａ−３）において、Ｒ５は、水素原子または炭素数１〜３のアルキル基であり、Ｒ６、Ｒ７は、それぞれ独立して、水素原子、炭素数１〜３のアルキル基、または炭素数１〜３のヒドロキシアルキル基である。
【００２０】
【化６】
2019044278.tif 000007
【００２１】
（Ａ）成分の質量平均分子量は、通常１，０００〜５，０００，０００であり、１０，０００〜３，０００，０００が好ましく、１００，０００〜２,０００，０００がより好ましく、さらに５００，０００〜２,０００，０００がより好まし。なお、本明細書における質量平均分子量は、ポリエチレングリコールを標準物質として、ゲル浸透クロマトグラフィー（ＧＰＣ）により求めた値を意味する。
（Ａ）成分の重合の形態は、特に限定されず、ブロック重合、ランダム重合又はグラフト重合のいずれであってもよい。
【００２２】
（Ａ）成分の全構成単位に対して、構成単位（ａ−１）と構成単位（ａ−２）の合計は１０モル％以上が好ましく、２０モル％以上がより好ましい。
（Ａ）成分が構成単位（ａ−３）を有する場合、［構成単位（ａ−１）と構成単位（ａ−２）の合計］：構成単位（ａ−３）のモル比は、１：９〜７：３が好ましく、２：８〜６：４がより好ましい。
【００２３】
（Ａ）成分としては、式（ａ−４）で表されるジアリルジアルキルアンモニウム塩に由来する構成単位と、アクリルアミドに由来する構成単位（上記（ａ−３）においてＲ５、Ｒ６、Ｒ７が水素原子である構成単位）とを有するポリマーが好ましく、ジアリルジメチルアンモニウムクロライド（上記（ａ−４）においてＲ８、Ｒ９がメチル基、Ｘ−が塩素イオンである化合物）とアクリルアミドとのコポリマーがより好ましい。
【００２４】
（Ａ）成分は、合成品を用いてもよいし、市販品を用いてもよい。
（Ａ）成分は、通常のラジカル重合により製造できる。例えば（Ａ）成分を構成するモノマーを、塊状重合、溶液重合、乳化重合、懸濁重合等の重合方法により重合することで製造できる。また、重合の際には、通常のラジカル重合に用いられる重合開始剤を使用することが好ましく、例えば、ベンゾイルパーオキサイド、過硫酸カリウム等の過酸化物、アゾビスイソブチロニトリル、アゾビスシアノ吉草酸等のアゾ化合物を用いることができる。
【００２５】
＜（Ｂ）成分＞
（Ｂ）成分は界面活性剤である。（Ｂ）成分は洗浄効果を発揮するとともに、（Ａ）成分と複合体を形成することによって、（Ａ）成分の繊維への吸着に寄与する。その結果、（Ａ）成分による形状保持効果が発揮されて洗濯、乾燥後の繊維製品にふっくら感が与えられ、柔軟剤処理に起因する吸水性の低下が抑制される。
（Ｂ）成分としては、繊維製品の洗浄剤に用いられる公知の界面活性剤を使用できる。  （Ｂ）成分は、１種を単独で用いてもよく、２種以上を併用してもよい。
【００２６】
より高い洗浄力が得られ、（Ａ）成分と複合体を形成して（Ａ）成分を繊維へ吸着させる効果に優れる点で、（Ｂ）成分が下記（Ｂ−１）成分及び下記（Ｂ−２）成分の少なくとも一方を含むことが好ましい。
（Ｂ−１）成分：ノニオン界面活性剤。
（Ｂ−２）成分：アニオン界面活性剤（ただし、高級脂肪酸塩を除く。）。
【００２７】
［（Ｂ−１）成分］
（Ｂ−１）成分であるノニオン界面活性剤としては、下式（ｂ−１−１）で表される化合物または下式（ｂ−１−２）で表される化合物が好ましい。
Ｒ１１−Ｃ（＝Ｏ）Ｏ−［（ＥＯ）ｓ／（ＰＯ）ｔ］−（ＥＯ）ｕ−Ｒ１２  ・・・（ｂ−−１１）
Ｒ２１−Ｏ−［（ＥＯ）ｖ／（ＰＯ）ｗ］−（ＥＯ）ｘ−Ｈ  ・・・（ｂ−１−２）
式（ｂ−１−１）中、Ｒ１１は炭素数７〜２２の炭化水素基であり、Ｒ１２は炭素数１〜６のアルキル基であり、ｓはＥＯの平均繰り返し数を表し、６〜２０の数であり、ｔはＰＯの平均繰り返し数を表し、０〜６の数であり、ｕはＥＯの平均繰り返し数を表し、０〜２０の数であり、ＥＯはオキシエチレン基を表し、ＰＯはオキシプロピレン基を表す。ｔが１以上である場合、［（ＥＯ）ｓ／（ＰＯ）ｔ］において、オキシエチレン基とオキシプロピレン基とは、ランダム重合であってもよいし、ブロック重合であってもよい。
式（ｂ−１−２）中、Ｒ２１は炭素数６〜２２の炭化水素であり、ｖはＥＯの平均繰り返し数を表し、３〜２０の数であり、ｗはＰＯの平均繰り返し数を表し、０〜６の数であり、ｘはＥＯの平均繰り返し数を表し、０〜２０の数であり、ＥＯはオキシエチレン基を表し、ＰＯはオキシプロピレン基を表す。ｗが１以上である場合、［（ＥＯ）ｖ／（ＰＯ）ｗ］において、オキシエチレン基とオキシプロピレン基とは、ランダム重合であってもよいし、ブロック重合であってもよい。
なお、平均繰り返し数は、ガスクロマトグラフィー等によって測定することができる。
【００２８】
式（ｂ−１−１）において、Ｒ１１の炭素数は、９〜２１が好ましく、１１〜２１がより好ましい。Ｒ１１は、アルキル基、アルケニル基が好ましい。Ｒ１１は直鎖状であってもよいし、分岐鎖状であってもよい。洗浄力により優れる点で、Ｒ１１は、直鎖もしくは分岐鎖の炭素数７〜２２のアルキル基、または直鎖もしくは分岐鎖の炭素数７〜２２のアルケニル基が好ましい。
Ｒ１２は、直鎖状であってもよいし、分岐鎖状であってもよい。なかでもメチル基、エチル基が好ましい。
ｓ＋ｕは６〜２０が好ましく、６〜１８がより好ましく、１１〜１８がさらに好ましく、１４〜１８が特に好ましい。ｔは０〜３が好ましく、０がより好ましい。
【００２９】
式（ｂ−１−２）において、Ｒ２１の炭素数は、１０〜２０が好ましく、１０〜１８がさらに好ましい。式（ｂ−１−２）において、Ｒ２１は直鎖の炭化水素基であってもよく、分岐鎖の第１級の炭化水素基及び直鎖の第２級炭化水素基から選ばれる基であってもよい。
式（ｂ−１−２）において、Ｒ２１が直鎖の炭化水素基の場合、ｖ＋ｘは３〜２０が好ましく、５〜１８がより好ましく、６〜１８がさらに好ましく、１１〜１８が特に好ましい。ｗは０〜６の数であり、０〜３が好ましい。
式（ｂ−１−２）において、Ｒ２１が分岐鎖の第１級の炭化水素基及び直鎖の第２級炭化水素基から選ばれる基である場合、ｖ＋ｘは３〜８が特に好ましく、ｗは０が好ましい。
【００３０】
（Ｂ−１）成分が、式（ｂ−１−１）中のｔが０である化合物（すなわち、ポリオキシエチレン脂肪酸アルキルエステル）を含むことが好ましい。式（ｂ−１−１）中のｔが０であり、Ｒ１２がメチル基であるポリオキシエチレン脂肪酸メチルエステル（以下「ＭＥＥ」と表記する。）を含むことがより好ましい。
（Ｂ−１）成分が、式（ｂ−１−２）中のＲ２１が炭素数１０〜１８の直鎖状または分岐鎖状のアルキル基またはアルケニル基であり、ｗが０、かつ（ｖ＋ｘ）が７〜１６であるアルコールエトキシレート（以下「ＡＥ」と表記する。）と、ＭＥＥを含むことが好ましい。
（Ｂ−１）成分の総質量に対して、ＡＥとＭＥＥの合計が３０〜１００質量％であることが好ましく、５０〜１００質量％がより好ましく、７０〜１００質量％がさらに好ましい。
（Ｂ−１）成分がＡＥとＭＥＥを含む場合、ＭＥＥ／ＡＥの質量比は０．４〜２０が好ましく、０．５〜１０がより好ましく、０．８〜５がより好ましい。ＭＥＥ／ＡＥの質量比が上記の範囲内であると、すすぎ性がより良好になり、すすぎ工程後に界面活性剤が残留しにくく、吸水性の低下がより抑制される。またふっくら感もより高くなる。
【００３１】
［（Ｂ−２）成分］
（Ｂ−２）成分であるアニオン界面活性剤としては、直鎖アルキルベンゼンスルホン酸又はその塩（ＬＡＳ）；α−オレフィンスルホン酸塩（ＡＯＳ）；直鎖又は分岐鎖のアルキル硫酸エステル塩（ＡＳ）；アルキルエーテル硫酸エステル塩又はアルケニルエーテル硫酸エステル塩（ＡＥＳ）；アルキル基を有するアルカンスルホン酸塩；α−スルホ脂肪酸エステル塩（ＭＥＳ）等が挙げられる。
アニオン界面活性剤における塩としては、ナトリウム、カリウムなどのアルカリ金属塩、マグネシウムなどのアルカリ土類金属塩、モノエタノールアミン、ジエタノールアミンなどのアルカノールアミン塩などが挙げられる。
【００３２】
（Ｂ−２）成分がＬＡＳまたはＡＥＳを含むことが好ましい。
ＬＡＳとしては、直鎖アルキル基の炭素数が８〜１６のものが好ましく、炭素数１０〜１４のものが特に好ましい。
ＡＥＳとしては、下式（ｂ−２−１）で表される化合物が好ましい。
Ｒ３１−Ｏ−（ＥＯ）ｊ−ＳＯ３Ｍ  ・・・（ｂ−２−１）
（式中、Ｒ３１は炭素数１０〜２０の直鎖又は分岐鎖のアルキル基又はアルケニル基であり、ｊはＥＯの平均繰り返し数を表し、１〜１０の数であり、Ｍは対イオンである。）
【００３３】
（Ｂ−２）成分の総質量に対して、ＬＡＳの含有量は２０〜１００質量％が好ましく、５０〜１００質量％がより好ましく、７０〜１００質量％がさらに好ましい。ＬＡＳの含有量が上記範囲の下限値以上であると、再汚染防止性能により優れ、液体洗浄剤のハンドリング性にもより優れる。
【００３４】
液体洗浄剤において、（Ｂ）／（Ａ）の質量比が３０以上であることが好ましく、４０以上がより好ましく、７０以上がさらに好ましく、８０以上が特に好ましい。上限は１０００以下が好ましく、４００以下がより好ましく、２００以下がさらに好ましい。
上記範囲の下限値以上であると液体洗浄剤中での（Ａ）成分の分散性がより優れる。上限値以下であると、（Ａ）成分と（Ｂ）成分との複合体が充分に形成され、洗濯、乾燥後の繊維製品にふっくら感を与え、また柔軟剤処理に起因する吸水性の低下を抑制する効果により優れる。
【００３５】
液体洗浄剤が（Ｂ−１）成分を含む場合、（Ｂ−１）／（Ａ）の質量比が１０以上であることが好ましい。この値が大きいほど、洗濯、乾燥後の繊維製品にふっくら感を与える効果に優れる。
【００３６】
（Ｂ）成分が（Ｂ−１）成分及び（Ｂ−２）成分を含む場合、（Ｂ−１）／（Ｂ−２）の質量比は０．９〜５が好ましく、１〜２．５がより好ましく、１．２〜２がさらに好ましい。
（Ｂ−１）成分／（Ｂ−２）成分が上記範囲の下限値以上であると、繊維製品にふっくら感を与える効果により優れ、上限値以下であると、液体洗浄剤中での（Ａ）成分の分散性がより優れる。
【００３７】
（Ｂ）成分の総質量に対して、（Ｂ−１）成分と（Ｂ−２）成分の合計の含有量は、５０〜１００質量％が好ましく、７０〜１００質量％がより好ましく、９０〜１００質量％がさらに好ましい。（Ｂ−１）成分と（Ｂ−２）成分の合計の含有量が上記範囲の下限値以上であると、洗濯、乾燥後の繊維製品にふっくら感を与える効果により優れる。
【００３８】
＜（Ｃ）成分＞
液体洗浄剤は、（Ｃ）成分である高級脂肪酸またはその塩を含むことが好ましい。（Ｃ）成分を含有させることにより、（Ｂ）成分による泡立ちが低減されてすすぎ性がより良好になり、すすぎ工程後に界面活性剤が残留しにくく、吸水性の低下がより抑制される。
「高級脂肪酸」とは、炭素数８〜２２の脂肪酸を意味する。高級脂肪酸としては、炭素数８〜１８の鎖状モノカルボン酸が好ましい。具体的には、一般式：Ｒ４１−ＣＯＯＨ（式中、Ｒ４１は炭素数７〜２１の脂肪族炭化水素基である。）で表される化合物が挙げられる。式中、Ｒ４１の脂肪族炭化水素基は、直鎖状であっても分岐鎖状であってもよく、直鎖状若しくは分岐鎖状のアルキル基、又は直鎖状若しくは分岐鎖状のアルケニル基が好好ましい。Ｒ４１の脂肪族炭化水素基における炭素数は１０〜２０が好ましい。
【００３９】
（Ｃ）成分における塩の形態としては、アルカリ金属塩、アルカリ土類金属塩、アミン塩、又はアンモニウム塩等が挙げられる。アルカリ金属塩としては、ナトリウム塩、又はカリウム塩等が挙げられる。アルカリ土類金属塩としては、カルシウム塩、又はマグネシウム塩等が挙げられる。アミン塩としては、アルカノールアミン塩（モノエタノールアミン塩、ジエタノールアミン塩、又はトリエタノールアミン塩など）等が挙げられる。
（Ｃ）成分は、１種単独で用いてもよく、２種以上を適宜組み合わせて用いてもよい。
また、（Ｃ）成分は、単一鎖長の混合物であってもよく、２以上の鎖長の混合物であってもよい。
液体洗浄剤に（Ｃ）成分を含有させる場合、（Ｂ）／（Ｃ）の質量比が１〜３５であることが好ましく、４〜３５がより好ましく、６〜３５がさらに好ましい。上限値以下であると、すすぎ性により優れる。下限値以上であると液体洗浄剤の安定性により優れる。
特に、（Ｃ）成分がヤシ脂肪酸またはその塩を含むことがすすぎ性及び製剤化の点で好ましい。（Ｃ）成分の総質量に対して、ヤシ脂肪酸とヤシ脂肪酸塩の合計の割合が６０〜１００質量％であることが好ましく、８０〜１００質量％がより好ましく、９０〜１００質量％がさらに好ましい。
【００４０】
＜（Ｄ）成分＞
液体洗浄剤は、下記（Ｄ）成分を含むことが好ましい。
（Ｄ）成分：炭素数１〜６のアルキル基またはフェニル基と炭素数２または３のアルキレングリコール単位とを有するアルキレングリコールエーテル（以下「特定のアルキレングリコール」という。）、および下式（ｄ−１）で表される化合物からなる群から選ばれる１種以上の溶剤。
液体洗浄剤に（Ｄ）成分を含有させることにより、液体洗浄剤を調製する際に（Ａ）成分、（Ｂ）成分および任意成分を混合し易くなる。
（Ｄ）成分は、１種単独で用いてもよく、２種以上を併用してもよい。
【００４１】
【化７】
2019044278.tif 000008
【００４２】
式（ｄ−１）において、Ｒ５１〜Ｒ５３は、それぞれ独立に水素原子又は炭素数１〜３のアルキル基、Ｒ５４は、水素原子又はアセチル基である。
Ｒ５１〜Ｒ５３のうち、２つ以上が水素原子であることが好ましい。Ｒ５１〜Ｒ５３のいずれかがアルキル基である場合、該アルキル基の炭素数は、１〜２が好ましく、１がより好ましい。Ｒ５４は、水素原子が好ましい。
【００４３】
式（ｄ−１）で表される化合物としては、３−メトキシブタノール、３−メトキシ−３−メチルブタノール、３−メトキシ−２−メチルブタノール、３−メトキシ−１−メチルブタノール、３−メトキシ−３−メチルブチルアセテートが好ましく、３−メトキシ−３―メチルブタノールがより好ましい。
前記「特定のアルキレングリコール」としては、（ポリ）アルキレングリコール（モノ又はジ）アルキルエーテルが好ましく、ジエチレングリコールモノブチルエーテル（別名：ブチルカルビトール）がより好ましい。
【００４４】
液体洗浄剤に（Ｄ）成分を含有させる場合、（Ｄ）／（Ｂ）の質量比が０．０３〜０．８であることが好ましく、０．０５〜０．５がより好ましく、０．１〜０．３がさらに好ましい。
【００４５】
＜任意成分＞
液体洗浄剤は、上記の成分以外に、繊維製品用の液体洗浄剤において公知の成分を、本発明の効果を損なわない範囲で含んでもよい。
例えば、水、酵素、キレート剤、ハイドロトロープ剤、洗浄性ビルダー、安定化剤、アルカリ剤（例えば、モノエタノールアミン、ジエタノールアミン、トリエタノールアミンなどのアルカノールアミン等）、シリコーン等の風合い向上剤、防腐剤、蛍光剤、移染防止剤、パール剤、酸化防止剤、着色剤として汎用の色素又は顔料、乳濁化剤、香料、ｐＨ調整剤などが挙げられる。
液体洗浄剤は、（Ａ）成分、（Ｂ）成分、および必要に応じて配合する成分を混合することによって得られる。すなわち、液体洗浄剤において、（Ａ）成分と（Ｂ）成分は混合された状態で含まれている。
≪柔軟剤組成物≫
＜（Ｅ）成分＞
本実施形態の柔軟剤組成物は、下記（Ｅ）成分を含む。
（Ｅ）成分：３級アミン酸塩型カチオン界面活性剤及び４級アンモニウム型カチオン界面活性剤からなる群から選ばれる１種以上の柔軟基剤。
（Ｅ）成分としては、柔軟剤の基材として公知の３級アミン酸塩型カチオン界面活性剤及び４級アンモニウム型カチオン界面活性剤を用いることができる。
【００４６】
（Ｅ）成分は、繊維製品に吸着することで、乾燥後の繊維製品に柔らかい触感を与え、ふっくら感の向上に寄与する。
【００４７】
（Ｅ）成分として、例えば、エステル基またはアミド基で分断されていてもよい炭素数１０〜２６の炭化水素基（以下、「長鎖炭化水素基」ともいう。）を１〜３個、好ましくは２〜３個有する３級アミン化合物、その塩およびその４級化物からなる群より選ばれる化合物の１種以上を用いることができる。
長鎖炭化水素基の炭素数は１７〜２６が好ましく、１９〜２４がより好ましい。長鎖炭化水素基は、飽和であっても不飽和であってもよい。長鎖炭化水素基は、鎖状（直鎖状または分岐鎖状）でもよく環構造を有していてもよい。鎖状の炭化水素基が好ましい。鎖状の炭化水素基は、アルキル基またはアルケニル基が好ましく、アルキル基がより好ましい。
長鎖炭化水素基は、その炭素鎖中に、エステル基およびアミド基からなる群より選択される少なくとも１種の分断基を有し、該分断基によって炭素鎖が分断されたものであってもよい。なお、炭素鎖中に分断基を有する場合、分断基が有する炭素原子は、長鎖炭化水素基の炭素数にカウントするものとする。
長鎖炭化水素基は、通常、工業的に使用される牛脂由来の未水添脂肪酸、不飽和部を水添もしくは部分水添して得られる脂肪酸、パーム椰子、油椰子などの植物由来の未水添脂肪酸もしくは脂肪酸エステル、あるいは不飽和部を水添もしくは部分水添して得られる脂肪酸または脂肪酸エステル等を使用して導入された一価基であることが好ましい。
【００４８】
３級アミン化合物の塩は、３級アミン化合物を酸で中和することにより得られる。３級アミン化合物の中和に用いる酸としては、有機酸でも無機酸でもよく、例えば塩酸、硫酸、メチル硫酸等が挙げられる。
アミン化合物の４級化物は、このアミン化合物に４級化剤を反応させて得られる。アミン化合物の４級化に用いる４級化剤としては、例えば塩化メチル等のハロゲン化アルキル、ジメチル硫酸等のジアルキル硫酸などが挙げられる。これらの４級化剤をアミン化合物と反応させると、アミン化合物の窒素原子に４級化剤のアルキル基が導入され、４級アンモニウムイオンとハロゲンイオンまたはモノアルキル硫酸イオンとの塩が形成される。４級化剤により導入されるアルキル基は、炭素数１〜４のアルキル基が好ましく、メチル基またはエチル基がより好ましく、メチル基が特に好ましい。
【００４９】
＜その他の成分＞
柔軟剤組成物は、水、水溶性溶剤、ノニオン界面活性剤、環状デキストリン、酵素安定剤、キレート剤、香料、染料、顔料、防腐剤、紫外線吸収剤、抗菌剤など、柔軟剤組成物において公知の成分を含んでよい。
環状デキストリンは再汚染防止効果に寄与する。環状デキストリンは、分子内に１以上の環状構造を有するデキストリンであればよく、例えば、シクロデキストリン、高度分岐環状デキストリンが挙げられる。中でも、高度分岐環状デキストリンが好ましい。
【００５０】
≪洗濯方法≫
本実施形態の洗濯方法は液体洗浄剤を水で希釈して洗浄液とし、洗浄液中で繊維製品を洗浄処理する洗浄工程を１回以上行った後に、（Ｅ）成分を含むすすぎ水で繊維製品をすすぎ処理するすすぎ工程を有する。
液体洗浄剤を水で希釈する方法は特に限定されず、洗浄工程の開始前または洗浄工程中に、液体洗浄剤を水中に分散させることができる方法であればよい。
繊維製品としては、例えば、衣料、布帛、シーツ、カーテン、絨毯等が挙げられる。
繊維製品の素材は特に限定されず、綿、絹、羊毛等の天然繊維、ポリエステル、ポリアミド等の化学繊維等が挙げられる。
【００５１】
洗浄工程では、洗浄液中で、繊維製品に外力を加えて汚れを洗浄液中に移行させた後、脱水等を行って、繊維製品を洗浄液から分離する。
すすぎ工程では、洗浄工程を行った後、液体洗浄剤を添加せず、（Ｅ）成分を含むすすぎ水中で、好ましくは繊維製品に外力を加えて、繊維製品中に残留している液体洗浄剤の成分をすすぎ水中に移行させた後、脱水等を行って、繊維製品をすすぎ水から分離する。
洗浄工程は通常１回行う。２回以上繰り返してもよい。すすぎ工程は１回でもよく、２回以上繰り返してもよい。
すすぎ工程を２回以上行う場合は、少なくとも１回において、すすぎ水中に（Ｅ）成分を含有させる。好ましくは最後に行うすすぎ工程において、すすぎ水中に（Ｅ）成分を含有させる。（Ａ）成分による形状保持効果がより発揮されやすい点で、すすぎ工程は１回が好ましい。
繊維製品に外力を加える方法は、例えば洗濯機により機械力を加える方法でもよく、手洗いによる方法でもよい。
【００５２】
洗浄液の総質量に対して、（Ａ）成分の含有量は０．３〜１５質量ｐｐｍが好ましく、０．５〜１０質量ｐｐｍがより好ましく、０．９〜３質量ｐｐｍがさらに好ましい。
（Ａ）成分の含有量が上記の範囲内であると、乾燥後の繊維にふっくら感を与え、柔軟剤処理に起因する吸水性の低下抑制効果により優れる。
また、すすぎ水の総質量に対して、（Ｅ）成分の含有量は１０〜２００質量ｐｐｍが好ましく、２０〜１５０質量ｐｐｍがより好ましく、３０〜１００質量ｐｐｍがさらに好ましい。
（Ｅ）成分の含有量が上記の範囲内であると、乾燥後の繊維にふっくら感を与える効果により優れる。
【００５３】
柔軟剤組成物を水に分散させてすすぎ水とするときの希釈倍率は特に限定されないが、例えば、水１Ｌに対する柔軟剤組成物の添加量が０．３〜０．５ｇとなるように設計することが好ましい。
柔軟剤組成物の希釈倍率が上記の範囲であるとき、例えば、以下の組成を有する柔軟剤組成物が好ましい。
柔軟剤組成物の総質量に対して、（Ｅ）成分が５〜１５質量％、水が７０〜９５質量％、合計が１００質量％である柔軟剤組成物。
（Ｅ）成分が上記範囲の下限値以上であると、洗濯、乾燥後の繊維製品にふっくら感を付与する効果がより優れ、上記上限値以下であると凍結復元性を維持できる。
【００５４】
＜作用機序＞
本実施形態の洗濯方法によれば、洗濯し乾燥した後の繊維製品が、ふっくらしたボリュームのある触感に優れるとともに、柔軟剤処理に起因する吸水性の低下を抑制できる。
その理由は以下のように考えられる。（Ａ）成分と（Ｂ）成分を含む液体洗浄剤が水で希釈される過程で（Ａ）成分と（Ｂ）成分の複合体が形成し、洗浄工程において該複合体が繊維に吸着した後、すすぎ工程で、さらに（Ｅ）成分が吸着することによって、乾燥後の繊維にふっくらしたボリュームのある触感を与え、柔軟剤処理に起因する吸水性の低下を抑制する効果が得られる。
また、（Ｂ）成分は、液体洗浄剤中における（Ａ）成分の分散性に寄与し、液体洗浄剤に（Ａ）成分と（Ｂ）成分とが混合した状態で含有されていると、液体洗浄剤が水で希釈される過程で前記複合体がより効率良く形成されると考えられる。
【実施例】
【００５５】
以下、実施例を示して本発明を詳細に説明するが、本発明は以下の記載によって限定されるものではない。
【００５６】
（使用原料）
＜（Ａ）成分＞
Ａ−１：ジメチルジアリルアンモニウム・アクリルアミドコポリマー（Ｌｕｂｒｉｚｏｌ社製、商品名「Ｎｏｖｅｒｉｔｅ３００」）。
Ａ−２：ジメチルジアリルアンモニウム・アクリルアミドコポリマー（Ｌｕｂｒｉｚｏｌ社製、商品名「Ｎｏｖｅｒｉｔｅ３０２」）。
Ａ−３：ジメチルジアリルアンモニウム・アクリルアミド・アクリル酸ポリマー（Ｌｕｂｒｉｚｏｌ社製、商品名「マーコート３３３０ＰＲ」）。
ａ−４：ジメチルジアリルアンモニウム・アクリルアミド・アクリル酸ポリマー（Ｌｕｂｒｉｚｏｌ社製、商品名「マーコート３３３１ＰＲ」）。
【００５７】
＜比較成分（Ａ’）＞
Ａ’−５：Ｌｕｂｒｉｚｏｌ社製、商品名「マーコート２００３」。
Ａ’−６：ＰＯＥ変性シリコーン（東レ・ダウシリコーン社製、商品名「ＣＦ１１８８Ｎ」、ポリオキシエチレン基が導入されたシリコーン化合物）。
【００５８】
＜（Ｂ）成分＞
［（Ｂ−１）成分］
Ｂ−１−１（ＭＥＥ）：脂肪酸メチルエステルエトキシレート（脂肪酸の炭素数１２〜１４、ＥＯの平均付加モル数１５）、一般式（ｂ−１−１）中、Ｒ１１＝炭素数１１のアルキル基及び炭素数１３のアルキル基、Ｒ１２＝メチル基、ｓ＝１５、ｔ＝０、ｕ＝０。下記合成例１により合成されたもの。
Ｂ−１−２（ＡＥ（ＥＯ１５））：天然アルコールに１５モル相当のエチレンオキシドを付加したもの。上式（ｂ−１−２）中、Ｒ２１＝炭素数１２のアルキル基及び炭素数１４のアルキル基、ｖ＝１５、ｗ＝０、ｘ＝０。下記合成例２により合成されたもの。
Ｂ−１−３（ＡＥ（ＥＯ１２））：天然アルコールに１２モル相当のエチレンオキシドを付加したもの。上式（ｂ−１−２）中、Ｒ２１＝炭素数１２のアルキル基及び炭素数１４のアルキル基、ｖ＝１２、ｗ＝０、ｘ＝０。
Ｂ−１−４（ＥＯ／ＰＯノニオン）：天然アルコール（質量比で炭素数１２アルコール／炭素数１４アルコール＝７／３）に、８モル相当のエチレンオキシド、２モル相当のプロピレンオキシド、８モル相当のエチレンオキシドを、この順にブロック付加したもの。上式（ｂ−１−２）中、Ｒ２１＝炭素数１２のアルキル基及び炭素数１４のアルキル基、ｖ＝８、ｗ＝２、ｘ＝８。
Ｂ−１−５：炭素数１２の第２級アルコール及び炭素数１４の第２級アルコールに、７モル相当のエチレンオキシドを付加したもの。商品名「ソフタノール７０」、株式会社日本触媒製。上記上式（ｂ−１−２）中、Ｒ２１＝炭素数１２の第２級アルキル基及び炭素数１４の第２級のアルキル基、ｖ＝７、ｗ＝０、ｘ＝０。
【００５９】
［（Ｂ−２）成分］
Ｂ−２−１：直鎖アルキルベンゼンスルホン酸ナトリウム（ＬＡＳ）、ライオン株式会社製、商品名「ライポンＬＨ−２００」、直鎖アルキル基の炭素数は１０〜１４。
Ｂ−２−２： ポリオキシエチレンアルキルエーテル硫酸ナトリウム（ＡＥＳ）、上式（ｂ−２−１）で表され、Ｒ３１＝炭素数１２〜１４の直鎖アルキル基、ｊ＝１．０、Ｍ＝ナトリウムである化合物。
［（Ｃ）成分］
Ｃ−１：ヤシ脂肪酸：消泡剤、商品名「椰子脂肪酸」、日油株式会社。
【００６０】
＜（Ｄ）成分＞
Ｄ−１：ジエチレングリコールモノブチルエーテル、商品名「ブチルジグリコール」、日本乳化剤社製。
Ｄ−２：３−メトキシ−３−メチルブタノール、商品名「ソルフィット」、（株）クラレ社製。
【００６１】
＜任意成分（Ｘ）＞
・ＢＨＴ：ジブチルヒドロキシトルエン（酸化防止剤）、商品名「ＳＵＭＩＬＺＥＲ  ＢＨＴ−Ｒ」、住友化学株式会社製。配合量は液体洗浄剤の総質量に対して０．０５質量％。
・エタノール：水混和性有機溶剤、「発酵アルコール含水１級」、日本アルコール販売株式会社製。配合量は液体洗浄剤の総質量に対して２質量％。
・金属イオン補足剤（キレート剤）：クエン酸（一方社油脂工業株式会社製）。配合量は液体洗浄剤の総質量に対して０．３質量％。
・洗浄補助剤：アルキレンテレフタレート単位及び／又はアルキレンイソフタレート単位を含有し、かつ（ポリ）オキシアルキレン単位を有する水溶性ポリマー、商品名「ＴｅｘＣａｒｅ  ＳＲＮ−１７０Ｃ」、クラリアントジャパン社製。配合量は液体洗浄剤の総質量に対して０．５質量％。
・保存安定性向上剤：安息香酸ナトリウム、東亜合成株式会社製。配合量は液体洗浄剤の総質量に対して０．２質量％。
・保存安定性向上剤：ｐ−トルエンスルホン酸、商品名「パラトルエンスルホン酸」、協和発酵工業株式会社製。配合量は液体洗浄剤の総質量に対して０．２質量。
・酵素：商品名「コロナーゼ（登録商標）４８Ｌ」、ノボザイムズ社製。配合量は液体洗浄剤の総質量に対して０．５質量％。
・香料：着香剤、特開２００２−１４６３９９号公報の表１１〜１８に記載の香料組成物Ａ、配合量は液体洗浄剤の総質量に対して０．８％。
・色素：着色剤、商品名「黄色２０３号」、癸巳化成株式会社製、配合量は液体洗浄剤の総質量に対して１ｐｐｍ。
・色素：着色剤、商品名「赤色１０６号」、癸巳化成株式会社製、配合量は液体洗浄剤の総質量に対して１．５ｐｐｍ。
【００６２】
＜ｐＨ調整剤＞
・ＭＥＡ：モノエタノールアミン（アルカリ剤）、商品名「モノエタノールアミン」、株式会社日本触媒製。配合量は液体洗浄剤のｐＨ（２５℃）が表に示す値になる量（適量）。
【００６３】
＜（Ｅ）成分＞
Ｅ−１（ＴＥＳ）：４級アンモニウム型柔軟基剤（特開２００３−１２４７１号公報の実施例４に記載のカチオン界面活性剤。下記合成例４で得たもの）。
Ｅ−２（ＤＥＳ）：４級アンモニウム型柔軟基剤、Ｎ，Ｎ−ジ（タローオイルオキシエチル）−Ｎ，Ｎ−ジメチルアンモニウムクロリド。
【００６４】
＜任意成分（Ｙ）＞
・ノニオンＥＯ６０：ノニオン界面活性剤、１級イソトリデシルアルコールのエチレンオキシド６０モル付加物、ＢＡＳＦ社製ルテンゾールＴＯ３にエチレンオキサイドを付加させた化合物。
・ノニオンＥＯ２１：ノニオン界面活性剤、ラウリルアルコールにエチレンオキサイドを平均２１モル付加させた化合物。
・グリセリン：関東化学株式会社製、商品名「グリセリン」。
・塩化カルシウム：（酵素安定化剤）、関東化学株式会社製、商品名「塩化カルシウム（特級）」。
・香料：着香剤、特開２００２−１４６３９９号公報の表１１〜１８に記載の香料組成物Ａ。
・ＥＤＴＡ：エチレンジアミンテトラ酢酸塩、関東化学株式会社製、商品名「エチレンジアミン四酢酸」。
・ＨＥＤＰ：（キレート剤）、１−ヒドロキシエタン−１，１−ジホスホン酸（ローディア社製、商品名「ＢＲＩＱＵＥＳＴ  ＡＤＰＡ−６０Ａ」）。
・クラスターデキストリン（登録商標、グリコ栄養食品株式会社製）。主成分は、分子量が３万〜１００万程度であり、分子内に環状構造を１つ有し、さらにその環状部分に多数のグルカン鎖が結合した重量平均重合度２，５００程度の高度分岐環状デキストリン。環状構造部分は１６〜１００個程度のグルコースで構成されており、この環状構造に非環状の分岐グルカン鎖が多数結合している。
【００６５】
＜合成例１：Ｂ−１−１（ＭＥＥ）の合成＞
特開２０００−１４４１７９号公報に記載の合成方法に準じて合成した。
組成が２．５ＭｇＯ・Ａｌ２Ｏ３・ｚＨ２Ｏである水酸化アルミナ・マグネシウム（キョーワード３００（商品名）、協和化学工業株式会社製）を６００℃で１時間、窒素雰囲気下で焼成して、焼成水酸化アルミナ・マグネシウム（未改質）触媒を得た。焼成水酸化アルミナ・マグネシウム（未改質）触媒２．２ｇと、０．５Ｎ水酸化カリウムエタノール溶液２．９ｍＬと、ラウリン酸メチルエステル２８０ｇと、ミリスチン酸メチルエステル７０ｇとを４Ｌオートクレーブに仕込み、オートクレーブ内で触媒の改質を行った。次いで、オートクレーブ内を窒素で置換した後、温度を１８０℃、圧力を０．３ＭＰａに維持しつつ、エチレンオキシド１０５２ｇを導入し、撹拌しながら反応させた。
得られた反応液を８０℃に冷却し、水１５９ｇと、濾過助剤として活性白土及び珪藻土をそれぞれ５ｇとを添加し混合した後、触媒を濾別してＢ−１−１（ＭＥＥ）を得た。
【００６６】
＜合成例２：Ｂ−１−２（ＡＥ（ＥＯ１５））の合成＞
プロクター・アンド・ギャンブル社製のＣＯ−１２１４（商品名）２２４．４ｇと、３０質量％ＮａＯＨ水溶液２．０ｇとを耐圧型反応容器内に仕込み、該反応容器内を窒素置換した。次に、温度１００℃、圧力２．０ｋＰａ以下で３０分間脱水した後、温度を１６０℃まで昇温した。次いで、反応液を撹拌しながら、エチレンオキシド（ガス状）７６０．６ｇを反応液中に徐々に加えた。この時、反応温度が１８０℃を超えないように添加速度を調節しながら、エチレンオキシドを吹き込み管で加えた。
エチレンオキシドの添加終了後、温度１８０℃、圧力０．３ＭＰａ以下で３０分間熟成した後、温度１８０℃、圧力６．０ｋＰａ以下で１０分間、未反応のエチレンオキシドを留去した。
次に、温度を１００℃以下まで冷却した後、反応物の１質量％水溶液のｐＨが約７になるように、７０質量％ｐ−トルエンスルホン酸を加えて中和し、Ｂ−１−２（ＡＥ（ＥＯ１５））を得た。
【００６７】
＜合成例３：Ｂ−２−２（ＡＥＳ）の合成＞
容量４Ｌのオートクレーブ中に、原料アルコールとしてＰ＆Ｇ社製の商品名ＣＯ１２７０アルコール（炭素数１２のアルコール／炭素数１４のアルコールとの質量比＝７５／２５の混合物）４００ｇと、反応用触媒として水酸化カリウム０．８ｇとを仕込み、該オートクレーブ内を窒素で置換した後、攪拌しながら昇温した。続いて、温度を１８０℃、圧力を０．３ＭＰａ以下に維持しながらエチレンオキシド９１ｇを導入し、反応させることによりアルコールエトキシレートを得た。
ガスクロマトグラフ質量分析計：Ｈｅｗｌｅｔｔ−Ｐａｃｋａｒｄ社製のＧＣ−５８９０と、検出器：水素炎イオン化型検出器（ＦＩＤ）と、カラム：Ｕｌｔｒａ−１（ＨＰ社製、Ｌ２５ｍ×φ０．２ｍｍ×Ｔ０．１１μｍ）とを用いて分析した結果、得られたアルコールエトキシレートは、エチレンオキシドの平均付加モル数が１．０であった。また、エチレンオキシドが付加していない化合物は、得られたアルコールエトキシレートの総質量に対して４３質量％であった。
次に、上記で得たアルコールエトキシレート２３７ｇを、攪拌装置付の５００ｍＬフラスコに採り、窒素で置換した後、液体無水硫酸（サルファン）９６ｇを、反応温度４０℃に保ちながらゆっくりと滴下した。滴下終了後、１時間攪拌を続け（硫酸化反応）、ポリオキシエチレンアルキルエーテル硫酸を得た。次いで、これを水酸化ナトリウム水溶液で中和することによりＢ−２−２（ＡＥＳ）を得た。
【００６８】
＜合成例４：Ｅ−１（ＴＥＳ）の合成＞
パーム油由来のステアリン酸メチル４５質量％とオレイン酸メチル３５質量％とパルミチン酸メチル２０質量％とを含む脂肪酸低級アルキルエステルの混合物（ライオン株式会社、商品名「パステルＭ１８０」、「パステルＭ１８１」、「パステルＭ１６」の混合物）７８５ｇ（２．６８モル）、トリエタノールアミン２５０ｇ（１．６８モル）、酸化マグネシウム０．５２ｇ、および、１４％水酸化ナトリウム水溶液３．７１ｇ（エステル交換触媒；モル比（ナトリウム化合物／マグネシウム化合物）＝１．０１／１、前記脂肪酸低級アルキルエステルおよびトリエタノールアミンの総質量に対する触媒使用量：０．１０質量％）を、攪拌器、分縮器、冷却器、温度計、および、窒素導入管を備えた２Ｌの４つ口フラスコに仕込んだ。窒素置換を行った後、窒素を０．５２Ｌ／ｍｉｎの流量で流しておいた。１．５℃／ｍｉｎの速度で１９０℃まで昇温して、６時間反応させた。未反応メチルエステルが１質量％以下であることを確認し、反応を停止した。得られた生成物から触媒由来である脂肪酸塩をろ過除去し、中間体のアルカノールアミンエステルを得た。
アミン価を測定し、分子量を求めると５８２であった。
得られたアルカノールアミンエステル（分子量５８２）２７０ｇ（０．４６４モル）を、温度計、滴下ロートおよび冷却器を備えた４つ口フラスコに入れ窒素置換した。次いで、８５℃に加熱し、ジメチル硫酸５７．４ｇ（０．４５５モル）を１時間かけて滴下した。ジメチル硫酸滴下終了後、９５℃に保ち１時間攪拌した。反応終了後、約６２ｇのイソプロパノールを滴下しながら冷却し、イソプロパノール溶液を調製し、ＴＥＳを得た。すべての操作は窒素微量流通下で行った。
【００６９】
［実施例１〜１９、比較例１〜４］
表１〜３に示す液体洗浄剤の各成分を混合して液体洗浄剤を調製した。また、表４に示す柔軟剤組成物の各成分を混合して柔軟剤組成物を得た。
なお、表に示す配合量は純分換算値である。また、表中に配合量が記載されていない成分は、配合されていない。
表１〜３に示す液体洗浄剤と柔軟剤組成物を用い、下記の方法で繊維製品を洗濯した。繊維製品としては下記の方法で前処理したバスタオルを使用した。洗濯後の繊維製品について、下記の方法で「ふっくらしたボリュームのある触感」及び「吸水性」を評価した。結果を表１〜３に示す。
［比較例５、６］
表４に示す柔軟剤組成物の各成分を混合して柔軟剤組成物を得た。
表３に示す液体洗浄剤の各成分のうち、（Ａ）成分および（Ｂ）成分以外の成分を混合して混合物（１）を調製した。
得られた混合物（１）と、（Ａ）成分と、（Ｂ）成分と、柔軟剤組成物を用い、下記の方法で繊維製品を洗濯した。ただし、使用水に液体洗浄剤をする際に、混合物（１）と、（Ａ）成分と、（Ｂ）成分とを別々に添加した。実施例１と同様に評価を行った。結果を表３に示す。
【００７０】
（被洗物の前処理方法）
ＪＩＳ  Ｋ  ３３６２：１９９８記載の指標洗剤を用いて、綿バスタオル（木綿１００％、約１４０ｃｍ×７０ｃｍ、約２５０ｇ／１枚当たり）６枚を日立全自動洗濯機ＮＷ−６ＣＹで５回洗浄を繰り返し、室内乾燥することによって、過分の薬剤を除去して前処理した綿バスタオルを調製した（洗剤濃度０．０６６７質量％、水道水４７Ｌ使用、水温２０℃、洗浄１０分、ためすすぎ２回）。
【００７１】
（洗濯方法）
全自動電気洗濯機（Ｈａｉｅｒ社製ＪＷ−Ｚ２３Ａ）の洗濯槽に、ＪＩＳ  Ｋ３３６２：１９９８記載の使用水３０Ｌ、および前処理した繊維製品（綿バスタオル６枚、１５００ｇ）を入れた。
前記使用水に、表に示す液体洗浄剤を、表に示す使用量（水１Ｌ当たりの液体洗浄剤の添加量、単位：ｇ／Ｌ）で添加した洗浄液中で、標準モードで１０分間洗浄した後、洗浄液を繊維製品から分離するために、１分間脱水した［洗浄工程］。
続いて、繊維製品が入っている洗濯槽に３０Ｌの水道水を入れた。前記水道水に、表に示す柔軟剤組成物を、表に示す使用量（水１Ｌ当たりの柔軟剤組成物の添加量、単位：ｇ／Ｌ）で添加したすすぎ水中で、標準モードで５分間攪拌すすぎを行った後、すすぎ水を繊維製品から分離するために、脱水処理を行った［すすぎ工程］。脱水後の繊維製品を、２０℃、湿度６５％ＲＨの恒温恒湿室内で１日自然乾燥して、これを試験布とした。
【００７２】
（対照布（１）の調製方法）
前記洗濯方法において、前記液体洗浄剤に代えて、標準液体洗浄剤（ラウリルアルコール１モル当たり平均１５モルのエチレンオキシドを付加させたアルコールエトキシレートの２０質量％水溶液）を用いたほかは、同様にして洗濯した綿バスタオル６枚を対照布（１）とした。
【００７３】
（対照布（２）の調製方法）
前記洗濯方法において、洗浄工程を行わず、例１と同じ条件のすすぎ工程のみを行ったほかは、同様に処理した綿バスタオル６枚を対照布（２）とした。
【００７４】
＜評価方法＞
［ふっくらしたボリュームのある触感］
上記試験布６枚から任意に１枚抽出した試験布と、上記対照布（１）から任意に１枚抽出した対照布を、それぞれ８つ折にしたものを比較する方法で、専門パネラー１０人が試験布の「ふっくらしたボリュームのある触感」について下記採点基準により採点した。触感の評価は、上記恒温恒湿室（２０ｍ３の密閉空間）で行った。
専門パネラー１０人の採点結果の平均値に基づいて、下記評価基準で触感を評価した。評価結果が○、◎、◎◎であるものを合格とした。
≪採点基準≫
−１点：対照布と比較しふっくらしたボリュームがない。
０点：対照布と比較して同等。
１点：対照布と比較してややボリュームがあり、ふっくらしている。
２点：対照布と比較してボリュームがあり、ふっくらしている。
３点：対照布と比較して非常にボリュームがあり、ふっくらしている。
≪評価基準≫
◎◎：２．５点以上。
◎：２点以上２．５点未満。
○：１．５点以上２点未満。
△：１点以上１．５点未満。
×：１点未満。
【００７５】
［吸水性］
上記試験布から、任意に２ｃｍ×２ｃｍの試験片１０枚を切り取り、２０℃、湿度６５％ＲＨの恒温恒湿室に１日放置した。
１Ｌビーカーに水道水１Ｌを入れ、２５℃に調温した。前記試験片１枚を水面に浮かべ、試験片に水が浸みわたりビーカーの底に沈むまでの時間を計測した。時間が短いほど吸水性が高いことを示す。試験片１０枚が水に沈む時間の平均時間を求め、下記評価基準で評価した。
なお、上記対照布（２）から、任意に２ｃｍ×２ｃｍの試験片１０枚を切り取り、２０℃、湿度６５％ＲＨの恒温恒湿室に１日放置したものについて、同様に測定した平均時間は５０秒であった。よって、下記評価基準においてＤ評価以上を合格とした。
≪評価基準≫
Ａ：平均時間が５秒未満。
Ｂ：平均時間が５秒以上１５秒未満。
Ｃ：平均時間が１５秒以上３０秒未満。
Ｄ：平均時間が３０秒以上４５秒未満。
Ｅ：４５秒以上。
【００７６】
【表１】
2019044278.tif 000009
【００７７】
【表２】
2019044278.tif 000010
【００７８】
【表３】
2019044278.tif 000011
【００７９】
【表４】
2019044278.tif 000012
【００８０】
表１〜３に示すように、（Ａ）成分と（Ｂ）成分を含む液体洗浄剤を用い、この液体洗浄剤を水で希釈した洗浄液中で繊維製品を洗浄処理した実施例１〜１９は、洗濯し乾燥した後の繊維製品はふっくらしたボリュームのある触感に優れていた。また柔軟剤処理に起因する吸水性の低下が抑制された。
一方、液体洗浄剤が（Ａ）成分を含まない比較例１で得られた試験布は、洗浄処理を行なわず柔軟剤処理のみを行った対照布（２）と吸水性が同等であり、柔軟剤処理に起因する吸水性低下の抑制効果が得られなかった。また、洗濯し乾燥した後の繊維製品はふっくらしたボリュームのある触感に劣るものであった。
また（Ａ）成分に代えて、構成単位（ａ−１）および構成単位（ａ−２）のいずれも有さないポリマーを用いた比較例２、および、（Ａ）成分に代えて、シリコーン系ポリマーを用いた比較例３は、洗濯し乾燥した後の繊維製品はふっくらしたボリュームのある触感に劣るものであった。また、柔軟剤処理に起因する吸水性低下の抑制効果が不充分であった。
（Ａ）成分と（Ｂ）成分を別々に洗浄液に添加した比較例５は、洗濯し乾燥した後の繊維製品はふっくらしたボリュームのある触感に劣るものであった。また、柔軟剤処理に起因する吸水性低下の抑制効果が不充分であった。